(57)【要約】【課題】簡単な構造で解錠コードの変更が可能なシリンダ錠の提供を目的とする。【解決手段】ハウジング１内に挿入された分割ケース６と、  分割ケース６内に挿入され、真正な解錠コード形成凹部３を備えた解錠キー４の挿入により分割ケース６に対して空転するプラグ５とを有し、  前記分割ケース６は軸長方向に複数に分割されるとともに、その適数がハウジング１に対して空転自在で、かつ空転ストッパ７への空転停止操作により空転状態を解消可能であり、  前記空転制御可能な分割ケース６に対応する解錠コード形成凹部３が欠落、相違する解錠キー４を使用したプラグ５への回転操作を、当該分割ケース６を空転可能状態として可能にする。【選択図】  図１
2008196146.tif 000002
【特許請求の範囲】
【請求項１】
ハウジング内に挿入されたインナーケースと、
インナーケース内に挿入され、真正な解錠コード形成凹部を備えた解錠キーの挿入によりインナーケースに対して空転するプラグとを有し、
前記インナーケースは、複数の分割ケースをプラグの長手方向に並べて形成されるとともに、分割ケースの適数は、ハウジングに対して空転自在で、かつ空転ストッパへの空転停止操作により空転状態を解消可能であり、
前記空転制御可能な分割ケースに対応する解錠コード形成凹部が欠落、相違する解錠キーを使用したプラグへの回転操作を、当該分割ケースを空転可能状態として可能にするシリンダ錠。
【請求項２】
前記空転ストッパは、プラグの分割ケースに対する空転操作によりハウジングと分割ケースとの回転境界に移動してハウジングと分割ケースとの空転を規制する請求項１記載のシリンダ錠。
【請求項３】
前記空転ストッパは、分割ケース側に付勢されてハウジングに保持されるとともに、分割ケースには、空転ストッパとプラグの周壁との間に介在して空転ストッパの分割ケース側への移動を規制する介装部が挿入され、
プラグには、分割ケースに対して所定角度空転した際に介装部の全部または一部を分割ケースに対して空転自在に受容して前記空転ストッパを空転規制位置に移動させる収容凹部が形成される請求項２記載のシリンダ錠。
【請求項４】
前記空転ストッパは、プラグ中心方向に付勢されるとともに、一端をハウジングとの回転境界に位置させて分割ケース内に保持され、
プラグ外周には、空転ストッパの他端がプラグと分割ケースとの相対回転時に脱離可能に嵌合する収容凹部が形成され、
かつ、分割ケースは、プラグが所定角度回転した際に収容凹部に嵌合する充填体をプラグ中心部に付勢して保持する請求項２記載のシリンダ錠。
【請求項５】
空転制御可能な分割ケースとハウジングとの回転境界には、プラグに形成されたキー挿通路に挿入された解錠キーにより分割ケースとハウジングとの回転境界を閉塞する位置まで押し出され、分割ケースの空転を規制する回転規制部が配置される請求項１、２、３または４記載のシリンダ錠。
【請求項６】
前記回転規制部は、プラグ方向に付勢力を付与されてハウジング内に収容される押圧体と、
分割ケース内に収容され、一端が押圧体に押されて他端がキー挿通路に突出するとともに、突出状態で押圧体との境界がハウジングとの回転境界に一致する検出ピンとを有する請求項５記載のシリンダ錠。
【請求項７】
解錠キー挿入端側の最先端に配置される分割ケースがハウジングに対して空転不能に形成され、その後方に（Ｎ−１）個の空転制御可能な分割ケースを配置した請求項２から６のいずれかに記載のシリンダ錠と、
シリンダ錠のプラグを回転操作する解錠キーセットとを備えるシリンダ錠セットであって、
前記解錠キーセットは、前記空転不能分割ケースに対するプラグ操作が可能な長さを備えた一次解錠キーと、
一次解錠キーに対して分割ケースの長さに対応して順次長さが長くなるＮ次解錠キーとの適数からなるシリンダ錠セット。
【発明の詳細な説明】
【技術分野】
【０００１】
本発明はシリンダ錠に関するものである。
【背景技術】
【０００２】
解錠コードが可変なシリンダ錠としては、特許文献１に記載のものが知られている。この従来例において、シリンダ錠は外筒（ハウジング）と内筒（プラグ）との間に中間筒（インナーケース）が介装され、インナーケースとプラグを貫通してハウジングに至る孔内に複数のピン状のタンブラが挿入される。
【０００３】
タンブラは、ハウジングとインナーケース、およびインナーケースとプラグ間の回転境界に位置することによりプラグの回転を規制しており、真正な解錠コード形成凹部を有する解錠キーを挿入すると、タンブラ間の境界がハウジングとインナーケース、あるいはインナーケースとプラグとの回転境界に一致し、プラグを回転させることができる。
【０００４】
この状態からハウジングとインナーケースとの境界での回転を可能にする解錠キーを使用してプラグを所定角度回転させると、インナーケース外周に圧接していた連結ピンがプラグとインナーケースとの回転境界を閉塞する位置に移動し、以後、上記回転境界を利用してプラグを回転させる解錠キーの使用が不可能になる。
【特許文献１】特開２００６-３２２２４４号公報
【発明の開示】
【発明が解決しようとする課題】
【０００５】
しかし、上述した従来例において、コード変更された後では回転境界の開閉に使用されないタンブラを多く含むために、部品点数が増加し、構造が複雑になるという欠点がある。
【０００６】
本発明は、以上の欠点を解消すべくなされたものであって、簡単な構造で解錠コードの変更が可能なシリンダ錠の提供を目的とする。また、本発明の他の目的は、上記シリンダ錠を利用したシリンダ錠セットの提供にある。
【課題を解決するための手段】
【０００７】
シリンダ錠は、ハウジング１内にインナーケース２、およびプラグ５を挿入して形成される。インナーケース２は複数の分割ケース６-１、６-２・・・をプラグ５の軸長方向に並べて形成され、分割ケース６の適数、すなわち、全部、または一部はハウジング１に対して空転することができる。空転自在な分割ケース６は、空転ストッパ７を回転停止操作することによりハウジング１に対して固定することが可能であり、空転状態が解消された分割ケース６とプラグ５との関係は、周知のシリンダ錠の構造と同一となり、真正な解錠コード形成凹部３を備えた解錠キー４が挿入された場合にのみプラグ５がインナーケース２に対して回転できる。
【０００８】
したがってこの発明において、全ての分割ケース６を空転自在にした状態では、プラグ５の分割ケース６に対する回転が禁止されていても分割ケース６とハウジング１との境界を回転境界とする回転が可能なために、どのような解錠キー４を使用してもプラグ５を回転操作することができる。
【０００９】
これに対し、適数の分割ケース６の空転を不能にすると、以後、当該分割ケース６が回転規制部材として機能し、対応部位に分割ケース６とプラグ５との回転境界が開かれた場合にのみプラグ５への回転操作が可能になる。この結果、空転規制する分割ケース６を異ならせることにより、解錠コードを変更することが可能になる。
【００１０】
空転ストッパ７は、施錠対象に取り付けた状態で外部から操作不能な位置に配置された適宜の操作部への手動操作によって空転停止操作を行うように構成することができるが、プラグ５の分割ケース６に対する空転操作によりハウジング１と分割ケース６との回転境界に移動してハウジング１と分割ケース６との空転を規制するように構成すると、空転ストッパ７を別途操作する必要がなくなるために、使い勝手が向上する。
【００１１】
この場合、空転ストッパ７を分割ケース６側に付勢してハウジング１に保持することができる。分割ケース６には、空転ストッパ７とプラグ５の周壁との間に介在して空転ストッパ７の分割ケース６側への移動を規制する介装部８が挿入されるとともに、プラグ５には、収容凹部９が形成される。
【００１２】
プラグ５を分割ケース６に対して所定角度空転させると、空転ストッパ７によりプラグ５側に付勢される介装部８はプラグ５の収容凹部９に落ち込む。介装部８の落ち込みにより、一端が分割ケース６とハウジング１との回転境界に位置して分割ケース６とハウジング１との相対回転を許容していた空転ストッパ７はプラグ５側に移動するために、以後、分割ケース６の空転が規制される。
【発明の効果】
【００１３】
本発明によれば、簡単な構造で解錠コード形成凹部の変更をすることができる。
【発明を実施するための最良の形態】
【００１４】
図１、２に示すように、シリンダ錠は、ハウジング１内に挿入されるインナーケース２と、インナーケース２内に挿入されるプラグ５とを有する。
【００１５】
プラグ５は中央部長手通しに溝状のキー挿通路１１が形成され、このキー挿通路１１内に一端を臨ませてピン状のタンブラ５ａの複数が挿入される。図２に示すように、タンブラ５ａは、直交位置に２列配置される。
【００１６】
上記プラグ５が挿通するインナーケース２は、プラグ５内のタンブラ５ａに正対可能な複数のドライブピン２ａを保持して筒形状に形成される。ドライブピン２ａは圧縮スプリング２ｂによりプラグ５中心方向に付勢されており、タンブラ５ａの一端をキー挿通路１１内に押し出す。
【００１７】
この状態でタンブラ５ａとドライブピン２ａとの境界は、プラグ５内に位置しており、インナーケース２とプラグ５との回転境界を閉塞し、プラグ５のインナーケース２に対する相対回転が規制される。
【００１８】
図３（ａ）ないし（ｄ）にこのシリンダ錠に使用する解錠キー４を示す。解錠キー４は、プラグ５のキー挿通路１１内に挿入可能な板状部４ａに解錠コード形成凹部３を凹設して形成される。解錠コード形成凹部３は、プラグ５のキー挿通路１１内に挿入した際にタンブラ５ａの突出位置合致する位置に形成され、図６に示すように、深さ寸法が適正であると、タンブラ５ａとドライブピン２ａとの境界がインナーケース２とプラグ５との回転境界に位置してインナーケース２とプラグ５との相対回転が可能になる。
【００１９】
なお、説明を容易にするために、図３において、解錠キー４はキー挿通路１１への挿入姿勢が一方向に限られているものを示しているが、解錠コード形成凹部３を図３（ｂ）に示す断面中心に対して点対称位置に形成することにより、反転姿勢での使用を可能にすることができる。
【００２０】
図１に示すように、上記インナーケース２は、２個の分割ケース６をプラグ５の長手方向に並べて形成される。各分割ケース６は、円筒形状を有してハウジング１の円形中空部に空転自在に挿入され、２個の分割ケース６の内、前方の分割ケース６-１（以後、プラグ５への解錠キー４の挿入端側（図１における右側）を「前方」とする。）は連結ピン１５を使用してハウジング１に固定される。
【００２１】
図２に示すように、後方の分割ケース６-２にはプラグ５の回転中心から放射方向に連絡孔６ａが貫通状に開設されて介装部８が挿入されるとともに、プラグ５には、分割ケース６に対して所定角度相対回転した際に連絡孔６ａに連通する収容凹部９が形成される。介装部８は、プラグ５に対面して配置される第１介装個体８ａと、ハウジング１側に位置する第２介装個体８ｂとを径方向に積層して構成され、第１介装個体８ａがプラグ５の外周壁に当接した状態で第２介装個体８ｂのハウジング１側先端がハウジング１と分割ケース６の回転境界に位置する。また、プラグ５側の収容凹部９は、図７（ｃ）に示すように、第１介装個体８ａが嵌合した際に、第１介装個体８ａの一端がプラグ５と分割ケース６との回転境界に位置する深さに形成される。
【００２２】
上記第１、第２介装個体８ｂは、上述した条件の充足を条件に適宜決定されるが、この実施の形態において第１介装個体８ａは、図６（ｃ）に示すように、プラグ５の外周壁に当接したとき、および図７（ｃ）に示すように、プラグ５の収容凹部９に落ち込んで分割ケース６の内周壁に当接した場合のいずれにおいても当接部を回転境界とするプラグ５-分割ケース６の回転が円滑になるようにボール形状に形成される。また、第２介装個体８ｂは、ボール形状の第１介装個体８ａを使用した場合に介装部８のハウジング１側端部をハウジング１と分割ケース６の回転境界に位置させるための寸法調整が容易なことを考慮してピン形状に形成される。
【００２３】
さらに、図１は、介装部８を第１、第２介装個体８ａ、８ｂにより形成する場合を示したが、１個、あるいは２個以上の個体により構成することもできる。
【００２４】
上記介装部８に１対１対応してハウジング１には空転ストッパ７が装着される。図１（ａ）、図２（ａ）に示すように、空転ストッパ７は、ピン形状に形成され、圧縮スプリング７ａによりプラグ５中心方向に付勢される。
【００２５】
さらに、後方の分割ケース６-２とハウジング１との境界には回転規制部１２が設けられる。回転規制部１２は、分割ケース６に開設される貫通孔６ｂに装着される有頭ピン１６と、ハウジング１に形成される嵌合段部１ａとを有する。有頭ピン１６の頭部１６ａは半球形状に形成され、軸部１６ｂ先端をプラグ５のキー挿通路１１に臨ませて配置される。
【００２６】
図１（ａ）、図２（ａ）に示すように、有頭ピン１６は、分割ケース６の周壁厚さよりやや長寸に形成され、嵌合段部１ａの径は、図６に示すように、プラグ５のキー挿通路１１内に解錠キー４が挿入された際に頭部１６ａを収容して解錠キー４の挿通経路を確保できる程度の大きさに形成される。
【００２７】
以上のように構成されるシリンダ錠は、図３に示す複数の解錠キー４とともに使用され、シリンダ錠セットが構成される。この実施の形態において、解錠キー４は、図３（ａ）から（ｅ）に示す長寸の解錠キー４（２次解錠キー４-２）と、図３（ｆ）、（ｇ）に示す短寸の解錠キー４（１次解錠キー４-１）の２種類が使用される。
【００２８】
図６に示すように、２次解錠キー４-２は、プラグ５のキー挿通路１１の長さにほぼ等しい長さ寸法を有し、プラグ５内の全てのタンブラ５ａに対応した解錠コード形成凹部３を備える。これに対し、１次解錠キー４-１は、図４に示すように、前方の分割ケース６-１に対応するプラグ５の領域に配置されるタンブラ５ａに対する解錠コード形成凹部３だけが形成可能で、後方の分割ケース６の領域内のタンブラ５ａに干渉することのない長さ寸法に形成される。この１、２次解錠キー１-１、４-２はセットで使用され、１次解錠キー４-１の解錠コード形成凹部３は、２次解錠キー４-２の対応領域のそれと完全に一致する。
【００２９】
次に、以上のシリンダ錠セットの使用方法を各部の動作とともに説明する。まず、シリンダ錠は、上述したように、各分割ケース６に対してプラグ５の空転がタンブラ５ａにより規制されており、かつ、前方の分割ケース６-１はハウジング１に対して固定され、後方の分割ケース６-２のみがハウジング１に対して空転ができる。この条件下で、全ての解錠コード形成凹部３が一致しない解錠キー４を挿入しても、前方の分割ケース６-１がハウジング１に対して固定されているために、プラグ５を回転操作して解錠することはできない。
【００３０】
次に、図４に示すように、前方の分割ケース６-１に対応するプラグ５領域のタンブラ５ａに合致する解錠コード形成凹部３を備えた１次解錠キー４-１を挿入すると、図５（ａ）に示すように、１次解錠キー４-１によりタンブラ５ａは適正な位置に駆動されて前方の分割ケース６-１に対するプラグ５の回転が可能になる。また、プラグ５に対して依然空転不能な後方の分割ケース６-２はハウジング１に対して空転自在であるために、１次解錠キー４-１に回転操作を加えると、前方の分割ケース６-１においては、図５（ｂ）に示すようにプラグ５と分割ケース６との境界を、後方の分割ケース６-２においては、図５（ｃ）に示すように、分割ケース６とハウジング１との境界を回転境界として空転し、１次解錠キー４-１を使用したプラグ５への回転操作ができる。
【００３１】
１次解錠キー４-１を使用した運用は、例えば、建築中の家屋での施工作業者等による施解錠に使用することが可能であり、１次解錠キー４-１から２次解錠キー４-２を使用するだけで、シリンダ錠を交換することなく恒久運用、すなわち、１次解錠キー４-１での解錠操作が不可能で、かつ、鍵違い数も多い状態での運用が可能になる。
【００３２】
上述したように、２次解錠キー４-２は後方の分割ケース６-２に至る長さと、解錠コード形成凹部３を備えており、これを挿入すると、図６（ｂ）、（ｃ）に示すように、全てのタンブラ５ａが適正位置に移動し、同時に有頭ピン１６は解錠キー４に押し出されてハウジング１方向に移動する。有頭ピン１６の移動により、後方の分割ケース６-２とハウジング１とは回転方向に連結され、この状態で２次解錠キー４-２に回転操作力を与えると、プラグ５は前後方の分割ケース６-２とプラグ５との境界を回転境界として回転する。
【００３３】
図７（ａ）に示すように、プラグ５を所定角度回転させて介装部８の第１介装個体８ａがプラグ５の収容凹部９に正対すると、空転ストッパ７に押し出されて収容凹部９に嵌合する。第１介装個体８ａの移動により空転ストッパ７は分割ケース６とハウジング１との境界に進出して該境界を閉塞する。第１介装個体８ａは、一旦収容凹部９に嵌合すると原位置に復帰することはないために、図７（ｃ）に示すように、プラグ５を原位置に復帰させると、以後、分割ケース６はハウジング１に連結される。
【００３４】
この状態は、通常のシリンダ錠と同様の構成であり、全ての解錠コード形成凹部３が適正な解錠キー４、すなわち、２次解錠キー４-２のみによってプラグ５の解錠操作が可能になる。この結果、１次解錠キー４-１複製等による解錠操作の虞を完全になくすことができる。
【００３５】
以上、２個の分割ケース６によりインナーケース２を構成し、２種類の解錠キー４を使い分ける場合を例にとってシリンダ錠セットを説明したが、同様にＮ個の分割ケース６と、１次からＮ次までの解錠キー４-１、４-２・・・４-Ｎを含む解錠キーセットを使用したシリンダ錠セットを構成することができる。
【００３６】
図８に空転ストッパ７の変形例を示す。なお、以下の変形例の説明において、上述した実施の形態と実質的に同一の構成要素は図中に同一符号を付して説明を省略する。
【００３７】
この変形例において、空転ストッパ７は分割ケース６の連絡孔６ａに収容され、ハウジング１に装着された第１押し出しピン１７を介してプラグ５中央に付勢される。空転ストッパ７のプラグ５側先端はプラグ５の収容凹部９に嵌合しており、プラグ５の回転により外周方向の分力が発生するように円錐形状をなす。
【００３８】
また、分割ケース６には、プラグ５が所定角度回転した際に収容凹部９に落ち込み可能な充填体１０が第２押し出しピン１８を介してプラグ５外周に押し付けられる。
【００３９】
プラグ５を回転操作しない状態で空転ストッパ７と第１押し出しピン１７との境界は分割ケース６とハウジング１との回転境界に一致しており、１次解錠キー４-１使用時の回転境界を提供する。
【００４０】
この状態から２次解錠キー４-２を挿入してプラグ５を回転させると、空転ストッパ７は円錐先端に発生する外方への分力により圧縮スプリング１７ａの反力に抗してハウジング１側に移動し、分割ケース６とハウジング１との回転境界を閉塞する。さらにプラグ５を回転させると、図８（ｂ）に示すように、連絡孔６ａ内の充填体１０が収容凹部９内に復帰不能に落ち込む。この後、プラグ５を原位置まで回転させても、空転ストッパ７は収容凹部９内に嵌合することができないために、以後、回転境界の閉塞状態が維持される。
【００４１】
図９に回転規制部１２の変形例を示す。この変形例において、回転規制部１２はプラグ５の回転中心からの放射方向に１列に整列する３本のピン体１９ａ、１９ｂ、１９ｃから構成され、ハウジング１に収容される圧縮スプリングによりプラグ５の中心部に向けて付勢される。図９（ａ）に示すように、プラグ５のキー挿通路１１に解錠キー４が挿入されない状態ではプラグ５側のピン体（第１ピン体１９ａ）は一端をキー挿通路１１内に突出させた状態であり、このとき、中間のピン体（第２ピン体１９ｂ）とハウジング１側のピン体（第３ピン体１９ｃ）との境界は分割ケース６とハウジング１との回転境界に位置する。
【００４２】
この状態から２次解錠キー４-２を挿入すると、第１ピン体１９ａは解錠キー４によりキー挿通路１１から排斥される。この結果、第２ピン体１９ｂと第３ピン体１９ｃとの境界は分割ケース６とハウジング１との回転境界から外れ、分割ケース６-ハウジング１間の回転境界を閉塞して分割ケース６の空転を規制する。同時に、第１ピン体１９ａと第２ピン体１９ｂとの境界は、プラグ５と分割ケース６との回転境界に移動するためにプラグ５と分割ケース６との回転境界は開かれ、結果、２次解錠キー４-２を挿入した場合には、プラグ５と分割ケース６との境界を回転境界とするプラグ５の回転だけが可能になる。
【００４３】
図１０に回転規制部１２の他の変形例を示す。この変形例において、回転規制部１２は、先端がプラグ５のキー挿通路１１に突出する検出ピン１４と、ハウジング１内に保持され、圧縮スプリング１３ａによりプラグ５中央に向けて付勢される押圧体１３とから構成される。図１０（ａ）に示すように、２次解錠キー４-２を挿入しない状態で検出ピン１４と、押圧体１３との境界はハウジング１と分割ケース６-２との回転境界に位置し、１次解錠キー４-１使用時の回転境界を提供する。
【００４４】
この状態から２次解錠キー４-２を挿入すると、図１０（ｂ）に示すように、押圧体１３と検出ピン１４間の境界がハウジング１と分割ケース６との回転境界から外れ、以後、この回転境界は閉塞される。
【図面の簡単な説明】
【００４５】
【図１】本発明を示す図で、（ａ）はシリンダ錠を示す断面図、（ｂ）は（ａ）の１Ｂ-１Ｂ線断面図である。
【図２】図１の断面図で、（ａ）は図１の２Ａ-２Ａ線断面図、（ｂ）は図１の２Ｂ-２Ｂ線断面図である。
【図３】解錠キーを示す図で、（ａ）は２次解錠キーの正面図、（ｂ）は（ａ）の３Ｂ-３Ｂ線断面図、（ｃ）は（ａ）の３Ｃ方向矢視図、（ｄ）は（ｃ）の３Ｄ-３Ｄ線断面図、（ｅ）は（ａ）の３Ｅ-３Ｅ線断面図、（ｆ）は１次解錠キーの（ｄ）に対応する断面図、（ｇ）は（ｅ）に対応する断面図である。
【図４】１次解錠キーによる操作を示す図で、（ａ）は図１（ｂ）に対応する断面図、（ｂ）は図１（ａ）に対応する断面図である。
【図５】１次解錠キーによる操作を示す図で、（ａ）は図２（ｂ）に対応する断面図、（ｂ）は（ａ）から解錠キーを回転させた状態の断面図、（ｃ）はそのときの図２（ａ）に対応する断面図である。
【図６】２次解錠キーによる操作を示す図で、（ａ）は図４（ａ）に対応する断面図、（ｂ）は図４（ａ）に対応する断面図、（ｃ）は図２（ａ）に対応する断面図である。
【図７】２次解錠キーによる分割ケースの空転解消動作を示す図で、（ａ）はプラグを回転させた状態を示す図、（ｂ）はそのときの前方の分割ケース部の断面図、（ｃ）はプラグを原位置に復帰させた状態を示す断面図である。
【図８】空転ストッパの変形例を示す図で、（ａ）は初期状態を示す断面図、（ｂ）は所定角度回転させた状態を示す断面図、（ｃ）はプラグを原位置に復帰させた状態を示す断面図である。
【図９】回転規制部の変形例を示す図で、（ａ）は図１（ａ）に対応する断面図、（ｂ）は図１（ｂ）に対応する断面図である。
【図１０】回転規制部の他の変形例を示す図で、（ａ）は１次解錠キーを挿入した状態における図１（ａ）に対応する断面図、（ｂ）は２次解錠キーを挿入した状態の断面図である。
【符号の説明】
【００４６】
１        ハウジング
２        インナーケース
３        解錠コード形成凹部
４        解錠キー
４-１     一次解錠キー
５        プラグ
６        分割ケース
７        空転ストッパ
８        介装部
９        収容凹部
１０      充填体
１１      キー挿通路
１２      回転規制部
１３      押圧体
１４      検出ピン
【図１】
2008196146.tif 000003
【図２】
2008196146.tif 000004
【図３】
2008196146.tif 000005
【図４】
2008196146.tif 000006
【図５】
2008196146.tif 000007
【図６】
2008196146.tif 000008
【図７】
2008196146.tif 000009
【図８】
2008196146.tif 000010
【図９】
2008196146.tif 000011
【図１０】
2008196146.tif 000012